(57)【要約】      （修正有）【課題】便座を覆い隠す形式の便蓋に装着した際に、便座と干渉するのが防止された便蓋カバーを提供する。【解決手段】カバー本体１１と、カバー本体１１の後端に取り付けられるバックフック１２と、カバー本体１１の両側部から前端部にかけて連続的に形成されてカバー本体１１の後方に向けて開口する袋状の折り返し部１４と、からなる。折り返し部１４は、その開口縁にゴム部１４ａを有してその収縮により開口が絞り込まれ、ゴム部１４ａの収縮で折り返し部１４は便蓋に密着する。【選択図】図１
0003161831.tif 000002
【実用新案登録請求の範囲】
【請求項１】
洋式便器の便蓋に装着する便蓋カバーであって、
カバー本体１１と、
カバー本体１１の後端に取り付けられるバックフック１２と、
カバー本体１１の両側部から前端部にかけて連続的に形成されてカバー本体１１の後方に向けて開口する袋状の折り返し部１４と、からなり、
前記折り返し部１４は、その開口縁にゴム部を有しその収縮により開口が絞り込まれている便蓋カバー。
【請求項２】
カバー本体１１の両側部に対向して取り付けられるサイドフック１３をさらに有する請求項１に記載の便蓋カバー。
【考案の詳細な説明】
【技術分野】
【０００１】
この考案は、洋式便器の便蓋に装着するカバーに関する。
より詳しくは、便蓋を閉じると便座が覆い隠される形式の便蓋に装着するのに好適なカバーに関する。
【背景技術】
【０００２】
洋式便器の便蓋としては、従来はその便蓋を閉じた際に便座の上に載置させるだけのものが主流であった。しかしこの形式の便蓋の場合、閉じた状態でも側方から便座が見えるため、体裁が悪かった。
【０００３】
そのため、近年は便蓋を閉じた際に便座がほぼ完全に覆い隠れる形式のものが増えつつある。具体的には、便蓋がトップパネルとサイドパネルとからなって、これを閉じた際にはそのサイドパネルが便座の側部を覆うことで、側方から便座が視認できないようになっている。
【０００４】
ところで、汚れ付着を防止しかつ装飾性を高める目的で便蓋にカバーを装着することも一般的におこなわれている。このようなカバーの一例として、図４に示すように、カバー本体２１の後端部（奥側）に一対のバックフック２２を設け、カバー本体２１の前端部（手前側）に後方へと開口する袋状の折り返し部２３を設けたものがある（特許文献１参照）。ここで折り返し部２３の開口は常態において緩慢に開いている。
【０００５】
この便蓋カバー２０を便蓋１に装着する際には、まずカバー本体２１を便蓋１に載せ、ついでそのバックフック２２を便蓋１の後端部（便槽側）に引っ掛けるとともに、その折り返し部２３を便蓋１の前端部（手前側）に被せる作業をおこなうことになる。
【０００６】
しかし、この種の便蓋カバー２０は、上述した便座２の上に載置するタイプの便蓋１に装着するのには適しているが、便座２を覆い隠すタイプの便蓋に装着するのには適していない。
すなわち、便座２を覆い隠すタイプの便蓋１に装着した場合には、便蓋カバー２０の折り返し部２３の開口は上述のように緩慢に開いているため、図５に示すように、便蓋１のサイドパネル２ｂの前端部にフィットせずに隙間ができることになる。
【０００７】
そのため、便蓋１を閉じると折り返し部２３は便座２の前端部に干渉してしまい、便蓋１をそのトップパネル１ａ裏面のストッパ１ｃが便座２に当たるまで完全に閉じ切ることができない。したがって、便蓋１が便座２から浮き上がった状態となって、体裁が悪いうえに開口から悪臭が漏れるなどして蓋の用をなさなくなってしまう。
【先行技術文献】
【特許文献】
【０００８】
【特許文献１】特開２００３−１４４３５０号公報
【考案の概要】
【考案が解決しようとする課題】
【０００９】
そこでこの考案は、便座を覆い隠す形式の便蓋にカバーを装着した際にそのカバーが便座と干渉するのを防止または抑制することである。
【課題を解決するための手段】
【００１０】
上記した課題を解決するため、この考案では、カバー本体と、カバー本体の後端に取り付けられるバックフックと、カバー本体の側部から前端部にかけて形成されてカバー本体の後方に向けて開口する袋状の折り返し部とからなる便蓋カバーについて、その折り返し部を開口縁にゴム部を有してその収縮により開口が絞り込まれている構成を採用したのである。
ここで、カバー本体の両側部に対向してサイドフックを取り付けるとなお好ましい。
【考案の効果】
【００１１】
トップパネルとサイドパネルを有して便座を覆い隠す形式の便蓋にこの便蓋カバーを装着する際には、前記カバー本体をトップパネルに載せ、前記バックフックをトップパネルの後端部に引っ掛け、前記折り返し部の開口を広げて便蓋のサイドパネルの両側部から前端部にかけて被せる。
【００１２】
折り返し部はサイドパネルに被せた状態で手を離すとその開口が収縮してサイドパネルを巻き込んでその裏面に密着する。そのため、折り返し部は便蓋を閉じた際にも便蓋と便座の隙間に入り込んで便座に干渉せず、便蓋を完全に閉じ切ることができる。
【００１３】
便蓋カバーにサイドフックを設けた場合には、これを便蓋のサイドパネルの両側部にそれぞれ引っ掛けることで、さらに装着状態が安定する。
【図面の簡単な説明】
【００１４】
【図１】実施形態の便蓋カバーの斜視図
【図２】実施形態の便蓋カバーを便蓋に装着した状態を示す斜視図
【図３】便蓋に実施形態の便蓋カバーを装着した洋式便器の一部切り欠き側面図
【図４】従来の便蓋カバーの平面図
【図５】便蓋に従来の便蓋カバーを装着した洋式便器の一部切り欠き側面図
【考案を実施するための形態】
【００１５】
以下、図面を参照しつつこの考案の実施形態について説明する。
図１〜３に示す実施形態の便蓋カバー１０は、便座２を覆い隠すタイプの便蓋１に好適に用いられ、カバー本体１１と、各１対のバックフック１２およびサイドフック１３と、折り返し部１４と、から構成されている。
【００１６】
カバー本体１１は、織物、編物、合成樹脂シートなどから形成されたシート体である。図示のようにカバー本体１１は、全体が便蓋１の平面視形状とほぼ相似形をなす半楕円形となっており、その表面には適宜模様が付されている。
【００１７】
またバックフック１２およびサイドフック１３は、合成樹脂や金属などから鉤型に形成されている。これら各フック１２、１３は、平ゴム紐を介してカバー本体１１に取り付けられている。
その取り付け箇所は、図示のように１対のバックフック１２についてはカバー本体１１の後端部の両隅部であり、１対のサイドフック１３についてはカバー本体１１の対向する両側部である。
【００１８】
また折り返し部１４は、カバー本体１１の両側部から前端部を折り返すことで形成され、これによりカバー本体１１の後方に向けて開口する袋状をなしている。さらにその開口縁には、ゴム紐が挿入されて伸縮性を有するゴム部１４ａが形成されている。
ここでゴム紐を挿入しない状態での折り返し部１４の開口の周長は、非伸縮時のゴム紐の長さよりも大きくなっているため、この開口縁にゴム紐を挿入した場合には、そのゴム紐の収縮により開口は絞り込まれた状態となる。
【００１９】
実施形態の便蓋カバー１０の構成は以上のようである。つぎにこの便蓋カバー１０を、図２のような、半楕円形のトップパネル１ａと、トップパネル１ａの両側部から前端部にかけて連設されるサイドパネル１ｂとを有する便蓋１に装着する場合について説明する。なお、便蓋１はトップパネル１ａの下面にストッパ１ｃが付属している。
【００２０】
便蓋カバー１０の装着の際には、カバー本体１１を便蓋１のトップパネル１ａに載せ、バックフック１２を便蓋１のトップパネル１ａの後端部の両隅に引っ掛け、サイドフック１３を便蓋１のサイドパネル１ｂの両側部に引っ掛ける。
【００２１】
そして、折り返し部１４の開口を広げて便蓋１のサイドパネル１ｂの両側部から前端部にかけて被せる。この状態で手を離すと折り返し部１４の開口はゴム部１４ａ内のゴム紐の収縮により絞り込まれるため、折り返し部１４はサイドパネル１ｂを巻き込んで隙間なくフィットする。
こうして便蓋カバー１０は便蓋に対して、バックフック１２と折り返し部１４により前後から、サイドフックにより両側からしっかりと保持されることになる。
【００２２】
ここで上述したように、便蓋カバー１０の折り返し部１４は便蓋１のサイドパネル１ｂに密着している。
そのため、図３に示すように便蓋１を閉じて便器本体３の開口縁に載せられた便座２に被せた場合には、折り返し部１４は便蓋１と便座２の間の隙間に入り込む。
【００２３】
したがって折り返し部１４は便座２に干渉せず、便蓋１をそのストッパ１ｃが便座２に当たるまできっちりと閉め切ることができる。こうして図示のように、便蓋カバー１０を装着しても便蓋１が便座２をほぼ完全に覆い隠すことが可能となる。
【００２４】
なお、上述した実施形態では便蓋カバーにサイドフックを設けているが、サイドフックは省略してもよい。また、便蓋カバー１０の材質、模様、色彩は特に限定されない。
【符号の説明】
【００２５】
１  便蓋
１ａ  トップパネル
１ｂ  サイドパネル
１ｃ  ストッパ
２  便座
３  便器本体
１０  実施形態の便蓋カバー
１１  カバー本体
１２  バックフック
１３  サイドフック
１４  折り返し部
１４ａ  ゴム部
２０  従来の便蓋カバー
２１  カバー本体
２２  バックフック
２３  折り返し部
【図１】
0003161831.tif 000003
【図２】
0003161831.tif 000004
【図３】
0003161831.tif 000005
【図４】
0003161831.tif 000006
【図５】
0003161831.tif 000007